(57)【要約】【課題】内圧上昇による光源ユニットの破損を防ぐことができる携帯型内視鏡装置を提供する。【解決手段】携帯型内視鏡装置を、内視鏡本体と、この内視鏡本体のライトガイド口金９に着脱自在に装着される光源ユニット４とから構成する。光源ユニット４にはバッテリを内蔵する。ライトガイド口金９は、第１通気路２７と、光源ユニット４の装着に伴って第１通気路２７を開放する第１開閉筒２１とを有する。光源ユニット４は、第２通気路３７と、光源ユニット４の装着に伴って第２通気路３７を開放する第２開閉筒３８とを有する。光源ユニット４の装着に伴って、内視鏡本体と光源ユニット４とが連通する。【選択図】図４
2008012099.tif 000002
【特許請求の範囲】
【請求項１】
気密な内視鏡本体と、この内視鏡本体に着脱自在であって内部空間にバッテリを配した気密な光源ユニットとからなり、装着された前記光源ユニットからの照明光が前記内視鏡本体に供給される携帯型内視鏡装置において、
前記光源ユニットの装着に伴って前記内視鏡本体の内部空間と前記光源ユニットの内部空間とを外部に対する気密を保って連通させる連通手段を備えたことを特徴とする携帯型内視鏡装置。
【請求項２】
前記連通手段は、前記光源ユニットの装着時に前記内視鏡本体及び前記光源ユニットの間に外部に対する気密を保って形成される気密空間と前記内視鏡本体の内部空間とを連通させる第１通気路と、
前記第１通気路を閉鎖する閉鎖位置と開放する開放位置との間で変位し、前記光源ユニットの装着に伴って開放位置に変位する第１開閉部材と、
前記気密空間と前記光源ユニットの内部空間とを連通させる第２通気路と、
前記第２通気路を閉鎖する閉鎖位置と開放する開放位置との間で変位し、前記光源ユニットの装着に伴って開放位置に変位する第２開閉部材とを有することを特徴とする請求項１記載の携帯型内視鏡装置。
【請求項３】
前記光源ユニットは、前記照明光を通過させて出射するための筒部を有し、
前記内視鏡本体は、前記照明光を内視鏡本体に導く導光部材を保持するとともに前記筒部に挿入されて前記筒部の内面との間に前記気密空間を形成する保持部を有し、
前記第１通気路は前記保持部内に形成されて前記保持部の外面に通気開口を有し、
前記第１開閉部材は、前記保持部の外面に沿って変位自在であって前記前記第１通気路の通気開口を閉鎖する閉鎖位置に向けて付勢されており、前記光源ユニットの装着時に前記筒部の端面が当接して付勢力に抗して開放位置に変位し、
前記第２通気路は前記筒部内に形成されて前記筒部の内面に通気開口を有し、
前記第２開閉部材は、前記筒部の内面に沿って変位自在であって前記第２通気路の通気開口を閉鎖する閉鎖位置に向けて付勢されており、前記光源ユニットの装着時に前記保持部の端面が当接して付勢力に抗して開放位置に変位することを特徴とする請求項２記載の携帯型内視鏡装置。
【請求項４】
前記光源ユニットの光源が発した照明光を集光する光源側集光レンズを前記第２開閉部材に組み込むとともに、前記光源側集光レンズが出射した照明光を集光して前記導光部材に入射させる導光部材側集光レンズを前記保持部に組み込むことにより、前記光源側集光レンズと前記導光部材側集光レンズとの間隔を一定に保つことを特徴とする請求項３記載の携帯型内視鏡装置。
【請求項５】
前記内視鏡本体に通気コネクタが接続される接続部を設け、この通気コネクタを介して前記内視鏡本体の内部空間及び前記光源ユニットの内部空間にエアを送り込んで気密性が検査可能であることを特徴とする請求項１ないし４いずれか１項記載の携帯型内視鏡装置。
【発明の詳細な説明】
【技術分野】
【０００１】
本発明は、内視鏡本体と、この内視鏡本体に照明光を供給する着脱自在な光源ユニットとからなる携帯型内視鏡装置に関する。
【背景技術】
【０００２】
手軽に持ち運んで使用することができる携帯型内視鏡装置が知られている。この携帯型内視鏡装置は、内視鏡本体と、この内視鏡本体に着脱自在であって内視鏡本体に照明光を供給する光源ユニットとから構成される（例えば、特許文献１及び２参照）。光源ユニットは交換可能なバッテリを内蔵している。バッテリとしては、リチウム電池などの２次電池が一般的に用いられている。
【０００３】
携帯型内視鏡装置は、患者間での感染を防ぐために、使用後に洗浄及び消毒をすることが必要である。この洗浄及び消毒の作業は、内視鏡本体と光源ユニットとが別体の状態であっても行うことができるようになっており、このために内視鏡本体と光源ユニットとは個別に気密構造になっている。
【特許文献１】特開平８−１９５１６号公報
【特許文献２】特開平８−１０２２０号公報
【発明の開示】
【発明が解決しようとする課題】
【０００４】
光源ユニットに内蔵されたバッテリが発熱した場合には、光源ユニットの内部の空きスペースが広くないため、光源ユニットの内圧が上昇して光源ユニットが破損するおそれが生じる。バッテリは、外傷があるまま装填されたり、挿入方向を間違えて装填されたりした場合に、過度に発熱しやすい。
【０００５】
ところで、内視鏡本体と光源ユニットとは気密性が十分であるか否かの検査を行う必要がある。内視鏡本体には通気コネクタが接続される接続部が設けられ、接続された通気コネクタを介して内視鏡本体の内部空間にエアが送り込まれて気密性の検査が行われている。光源ユニットにおいても内視鏡本体と同様にして通気コネクタが接続される接続部を設けることが考えられるが、この場合には製造コストが上昇してしまう。
【０００６】
本発明は、上記事情を考慮してなされたものであり、内圧上昇による光源ユニットの破損を防ぐとともに、光源ユニットの気密性を検査することができる製造コストを抑えた携帯型内視鏡装置を提供することを目的とする。
【課題を解決するための手段】
【０００７】
本発明は、気密な内視鏡本体と、この内視鏡本体に着脱自在であって内部空間にバッテリを配した気密な光源ユニットとからなり、装着された前記光源ユニットからの照明光が前記内視鏡本体に供給される携帯型内視鏡装置に関し、前記光源ユニットの装着に伴って前記内視鏡本体の内部空間と前記光源ユニットの内部空間とを外部に対する気密を保って連通させる連通手段を備えたことを特徴とする。
【０００８】
前記連通手段は、前記光源ユニットの装着時に前記内視鏡本体及び前記光源ユニットの間に外部に対する気密を保って形成される気密空間と前記内視鏡本体の内部空間とを連通させる第１通気路と、前記第１通気路を閉鎖する閉鎖位置と開放する開放位置との間で変位し、前記光源ユニットの装着に伴って開放位置に変位する第１開閉部材と、前記気密空間と前記光源ユニットの内部空間とを連通させる第２通気路と、前記第２通気路を閉鎖する閉鎖位置と開放する開放位置との間で変位し、前記光源ユニットの装着に伴って開放位置に変位する第２開閉部材とを有することが好ましい。
【０００９】
前記光源ユニットは、前記照明光を通過させて出射するための筒部を有し、前記内視鏡本体は、前記照明光を内視鏡本体に導く導光部材を保持するとともに前記筒部に挿入されて前記筒部の内面との間に前記気密空間を形成する保持部を有し、前記第１通気路は前記保持部内に形成されて前記保持部の外面に通気開口を有し、前記第１開閉部材は、前記保持部の外面に沿って変位自在であって前記前記第１通気路の通気開口を閉鎖する閉鎖位置に向けて付勢されており、前記光源ユニットの装着時に前記筒部の端面が当接して付勢力に抗して開放位置に変位し、前記第２通気路は前記筒部内に形成されて前記筒部の内面に通気開口を有し、前記第２開閉部材は、前記筒部の内面に沿って変位自在であって前記第２通気路の通気開口を閉鎖する閉鎖位置に向けて付勢されており、前記光源ユニットの装着時に前記保持部の端面が当接して付勢力に抗して開放位置に変位することが好ましい。
【００１０】
前記光源ユニットの光源が発した照明光を集光する光源側集光レンズを前記第２開閉部材に組み込むとともに、前記光源側集光レンズが出射した照明光を集光して前記導光部材に入射させる導光部材側集光レンズを前記保持部に組み込むことにより、前記光源側集光レンズと前記導光部材側集光レンズとの間隔を一定に保つことが好ましい。
【００１１】
前記内視鏡本体に通気コネクタが接続される接続部を設け、この通気コネクタを介して前記内視鏡本体の内部空間及び前記光源ユニットの内部空間にエアを送り込んで気密性が検査可能であることが好ましい。
【発明の効果】
【００１２】
本発明によれば、光源ユニットの装着に伴って内視鏡本体と光源ユニットとが連通するので、光源ユニットに内蔵されたバッテリが発熱した場合であっても、圧力が内視鏡本体側へ逃げて光源ユニットの内圧が高くならないため、光源ユニットの破損を防ぐことができる。また、光源ユニットを内視鏡本体に装着した上で、内視鏡本体に通気コネクタを接続し、この通気コネクタを介して光源ユニット及び内視鏡本体の内部空間にエアを送り込むことにより、光源ユニット及び内視鏡本体の両方の気密性を検査することができる。このため、光源ユニットに通気コネクタを接続するための接続部を設ける必要がなくなり、製造コストを抑えることができる。
【発明を実施するための最良の形態】
【００１３】
図１に示すように、本発明の携帯型内視鏡装置２は、内視鏡本体３と、この内視鏡本体３に着脱自在な光源ユニット４とから構成される。内視鏡本体３には、光源ユニット４の替わりに、設置型の光源装置から延びるライトガイドケーブルを接続することも可能である。内視鏡本体３と光源ユニット４とは個別に気密構造になっている。
【００１４】
内視鏡本体３は、挿入部５と、この挿入部５の後端に設けられた操作部６と、この操作部６の後端に設けられた接眼部７とから構成される。挿入部５は、体腔内に挿入される部位であり、細長な円筒状に形成されている。挿入部５内には、光源ユニット４が出射した照明光を導くためのライトガイドファイバ８が設けられている。ライトガイドファイバ８の一端部は操作部６の側面に設けられたライトガイド口金９に固定されており、他端部は挿入部５の先端部に設けられた図示しない照明窓に固定されている。光源ユニット４からの照明光は、ライトガイドファイバ８を介して照明窓から出射される。
【００１５】
ライトガイド口金９は操作部６の側面から突出して設けられており、このライトガイド口金９には光源ユニット４が着脱自在に接続される。また、操作部６の側面には、吸引口金１０と、吸引ボタン１１とが設けられている。吸引口金１０に図示しないチューブを取り付けた上で、吸引ボタン１１を操作することにより、吸引口金１０及びチューブを介して体腔内の液体などの吸引排出を行うことができる。
【００１６】
操作部６の中央部位は、操作者に把持される把持部１２になっている。操作部６の前部には、鉗子が挿入される鉗子挿入口１３が設けられている。この鉗子挿入口１３は通常は鉗子栓で閉じられている。
【００１７】
操作部６の後部には、通気コネクタが接続される接続部１４が設けられている。接続部１４に通気コネクタが接続されると、内視鏡本体３の内部空間２６（図２参照）と通気コネクタの内部とが連通する。通気コネクタを介して内視鏡本体３の内部空間２６にエアを送り込み、圧力の時間的な変化を調べることにより、内視鏡本体３の気密性を検査することができる。この接続部１４は、ガス滅菌の際に内視鏡本体３の内圧が上昇したときに圧力を外部に逃がす機能も備えている。
【００１８】
図２に示すように、ライトガイド口金９は、ライトガイドファイバ８を保持する保持筒（保持部）２０と、第１開閉筒（第１開閉部材）２１と、固定環２２とを有している。保持筒２０の先端部には集光レンズ（導光部材側集光レンズ）２３が組み込まれるとともに、保持筒２０の中空部２５には、集光レンズ２３の端面に突き当たるようにしてライトガイドファイバ（導光部材）８が配されている。中空部２５は内視鏡本体３の内部空間２６に繋がっている。
【００１９】
保持筒２０は、先端部の外径と基端部の外径とが異なっており、先端部の外径のほうが少し大きくされている。保持筒２０の先端部は外周面２０ａを有し、保持筒２０の基端部は外周面２０ｂを有する。また、保持筒２０は先端面２０ｄを有する。保持筒２０には径方向に延びる２本の第１通気路２７が形成されており、この第１通気路２７は保持筒２０の中空部２５と外部とを連通する。保持筒２０の外周面２０ｂに、第１通気路２７の通気開口２７ａが形成されている。
【００２０】
第１開閉筒２１は保持筒２０の外周面２０ｂに配されており、第１開閉筒２１の内周面２１ａは保持筒２０の外周面２０ｂに密着している。第１開閉筒２１は、保持筒２０の軸方向に移動自在であり、圧縮コイルバネ２８によって光源ユニット４の装着方向（図中Ａで示す方向）とは反対方向に付勢されている。第１開閉筒２１は、第１通気路２７の通気開口２７ａを閉じる閉鎖位置と、通気開口２７ａを開放する開放位置との間で移動する。保持筒２０の外周面２０ｂには通気開口２７ａの前方及び後方にパッキン１８，１９が設けられており、これらのパッキン１８，１９の働きによって第１開閉筒２１が閉鎖位置に移動したときに通気開口２７ａが気密に閉じられる。
【００２１】
固定環２２は保持筒２０の基部２０ｃに固定されており、固定環２２の外周面には雄ネジ２２ａが形成されている。固定環２２の内周面には、段部２２ｂが形成されている。
【００２２】
図３に示すように、光源ユニット４は、筒状のユニット本体３０と、このユニット本体３０の底面を塞ぐ底カバー３１とを有している。光源ユニット４の内部空間３２は、ユニット本体３０と底カバー３１とに囲われて形成されている。内部空間３２には、光源となるＬＥＤ３３と、このＬＥＤ３３に電力を供給するバッテリ３４とが配されている。
【００２３】
ユニット本体３０には筒部３５が形成されている。ＬＥＤ３３が発した照明光は筒部３５の中空部３６を通過して、光源ユニット４の外部へと出射される。筒部３５は、基端部の内径と先端部の内径とが異なっており、基端部の内径のほうが少し大きくされている。筒部３５の基端部は内周面３５ａを有し、筒部３５の先端部は内周面３５ｂを有する。また、筒部３５は先端面３５ｃを有する。
【００２４】
光源ユニット４の装着時には筒部３５に保持筒２０が挿入されるが、筒部３５の内周面３５ｂと保持筒２０の外周面２０ａとの間には、内視鏡本体３及び光源ユニット４の外部に対して気密な気密空間４３（図４参照）が形成される。このように、筒部３５の先端部の内径は、保持筒２０（図２参照）の先端部の外径よりも、少し大きく形成されている。
【００２５】
筒部３５には２本の第２通気路３７が形成されており、この第２通気路３７は光源ユニット４の内部空間３２と外部とを連通する。筒部３５の内周面３５ａに、第２通気路３７の通気開口３７ａが形成されている。
【００２６】
筒部３５の内周面３５ａには第２開閉筒３８が配されている。第２開閉筒３８の外周面３８ａは筒部３５の内周面３５ａに密着している。第２開閉筒３８は、筒部３５の軸方向に移動自在であり、圧縮コイルバネ３９によって、光源ユニット４の装着方向に付勢されている。第２開閉筒３８は、第２通気路３７の通気開口３７ａを閉じる閉鎖位置と、通気開口３７ａを開放する開放位置との間で移動する。筒部３５の内周面３５ａには通気開口３７ａの前方及び後方にパッキン５１，５２が設けられており、これらのパッキン５１，５２の働きによって第２開閉筒３８が閉鎖位置に移動したときに通気開口３７ａが気密に閉じられる。
【００２７】
第２開閉筒３８には集光レンズ（光源側集光レンズ）４０が組み込まれている。この集光レンズ４０は、ＬＥＤ３３が発した照明光を集光する役割を果たす。集光レンズ４０は第２開閉筒３８と共に移動するが、この集光レンズ４０は第２開閉筒３８が閉鎖位置にあるときよりも開放位置にあるときのほうが、より効率的に照明光を集光するように構成されている。これにより、仮に照明光が照射された状態で光源ユニット４が内視鏡本体３から取り外されても、操作者は目を傷めることがない。
【００２８】
なお、この構成に替えて、ＬＥＤを集光する集光レンズの出射側にシャッタ機構を配置し、光源ユニットが取り外されているときにはシャッタ機構のシャッタを閉じておき、光源ユニットが装着されているときにはシャッタ機構のシャッタを開くように構成してもよい。
【００２９】
光源ユニット４の装着時には、第２開閉筒３８の先端部３８ｃの外周面３８ｂと、筒部３５の先端部の内周面３５ｂとの間には空間が形成される（図４参照）。このように、第２開閉筒３８の先端部３８ｃの外径は、筒部３５の先端部の内径よりも、少し小さくされている。
【００３０】
ユニット本体３０の筒部３５の外面側には、筒部３５に対して回転自在な接続環４１が設けられている。接続環４１の内周面には雌ネジ４１ａが形成されており、この雌ネジ４１ａは、固定環２２（図２参照）の雄ネジ２２ａに螺合する。筒部３５の外周面にはパッキン４２が配されている。このパッキン４２により、光源ユニット４の装着時に、光源ユニット４と内視鏡本体３との間、すなわち筒部３５と保持筒２０との間に形成される気密空間４３（図４参照）が、外部に対して気密に保たれる。筒部３５の外周面には段部３５ｄが形成されている。
【００３１】
バッテリ３４は底カバー３１に保持され、この底カバー３１はバッテリ３４を保持した状態でユニット本体３０に着脱自在である。底カバー３１には雄ネジ３１ａが形成されており、ユニット本体３０の内周面には雌ネジ３０ａが形成されている。また、ユニット本体３０の内周面にはパッキン４４が配されている。底カバー３１を回転させて雄ネジ３１ａを雌ネジ３０ａに螺合させることにより、底カバー３１をユニット本体３０に装着することができる。
【００３２】
ユニット本体３０の内部空間３２には摺動板４５が設けられており、この摺動板４５はガイド筒４６にガイドされて移動自在である。摺動板４５には導通板４７が設けられており、この導通板４７に電極片４８が設けられている。電極片４８は摺動板４５を貫いて、導通板４７が配された側とは反対側まで延びている。ガイド筒４６の底部には接点片４９が設けられている。ガイド筒４６の内部には圧縮バネ５０が配されており、この圧縮バネ５０によって、摺動板４５は接点片４９から離れる方向に向かって付勢されている。
【００３３】
バッテリ３４を保持する底カバー３１をユニット本体３０に装着し、この装着した状態からさらに底カバー３１を回転させることにより、バッテリ３４の電極が導通板４７に接触して、さらに電極片４８が接点片４９に接触する。これにより、バッテリ３４とＬＥＤ３３とを含んで構成されている電気回路が閉状態になり、バッテリ３４からＬＥＤ３３に電力が供給されてＬＥＤ３３が発光する。
【００３４】
以下、上記構成による作用について図４を用いて説明する。光源ユニット４をライトガイド口金９に装着する前は、第１開閉筒２１が閉鎖位置にあって内視鏡本体３の内部空間２６は気密に保たれ（図２参照）、また、第２開閉筒３８が閉鎖位置にあって光源ユニット４の内部空間３２は気密に保たれている（図３参照）。
【００３５】
光源ユニット４を装着するときには、光源ユニット４の筒部３５に、ライトガイド口金９の保持筒２０を挿入する。図４に示すように、接続環４１の雌ネジ４１ａと固定環２２の雄ネジ２２ａとを係合させて、接続環４１を固定環２２に対して回転させる。固定環２２の段部２２ｂが筒部３５の段部３５ｄに突き当たるところで、光源ユニット４が位置決めされる。
【００３６】
光源ユニット４の装着動作に伴って、筒部３５の先端面３５ｃが第１開閉筒２１に当接して、第１開閉筒２１が圧縮コイルバネ２８の付勢力に抗して装着方向（図中Ａで示す方向）に移動して、第１開閉筒２１が開放位置に位置する。これにより、第１通気路２７の通気開口２７ａが開放され、内視鏡本体３の内部空間２６と気密空間４３とが連通する。
【００３７】
また、光源ユニット４の装着動作に伴って、保持筒２０の先端面２０ｄが第２開閉筒３８に当接して、第２開閉筒３８が圧縮コイルバネ３９の付勢力に抗して装着方向と逆方向に移動して、第２開放筒３８が開放位置に位置する。これにより、第２通気路３７の通気開口３７ａが開放され、光源ユニット４の内部空間３２と気密空間４３とが連通する。
【００３８】
気密空間４３は、筒部３５と、保持筒２０との間に形成される空間であって、パッキン４２の働きにより内視鏡本体３及び光源ユニット４の外部に対して気密である。
【００３９】
上記の動作によって、光源ユニット４の内部空間３２と内視鏡本体３の内部空間２６とが、外部に対して気密を保って連通する。これにより、携帯型内視鏡装置２の使用中に、内部空間３２に配されたバッテリ３４が発熱した場合であっても、狭い内部空間３２から比較的広い内部空間２６へと圧力が逃げるため、内部空間３２の内圧は高くはならず、光源ユニット４の破損を防ぐことができる。
【００４０】
光源ユニット４の装着後、底カバー３１（図３参照）をユニット本体３０に対して回転させることにより、バッテリ３１からＬＥＤ３３に電力が供給され、ＬＥＤ３３が照明光を発する。ＬＥＤ３３からの照明光は、集光レンズ４０及び集光レンズ２３を透過してライトガイドファイバ８に照射される。ここで、光源ユニット４の装着に伴って第２開閉筒３８と保持筒２０とが互いに位置決めされるので、これらの部材にそれぞれ組み込まれた集光レンズ４０及び集光レンズ２３も互いに位置決めされる。これにより、集光レンズ４０と集光レンズ２３の間隔は一定に保たれ、この間隔は光源ユニット４の位置決め精度に依存しない。
【００４１】
集光レンズ４０と集光レンズ２３の間隔が、照明光を効率的に導くことができる間隔となるように、第２開閉筒３８の軸方向の長さが設計されている。また、光源ユニット４の装着後の集光レンズ４０の位置が、ＬＥＤ３３からの照明光を効率的に集光することができる位置となるように、各部が設計されている。ライトガイドファイバ８に照射された照明光は、内視鏡本体３の挿入部５の先端部に設けられた照明窓へと導かれ、この照明窓から外部に照射される。
【００４２】
携帯型内視鏡装置２の使用後は、光源ユニット４の底カバー３１を回転操作してＬＥＤ３３を消灯させてから、接続環４１を固定環２２に対して回転操作して光源ユニット４を内視鏡本体３から取り外す。第１開閉筒２１は付勢力により閉鎖位置に移動し、第２開閉筒３８も付勢力により閉鎖位置に移動する。ここで、ＬＥＤ３３の消灯を忘れたまま光源ユニット４を取り外した場合であっても、第２開閉筒３８が移動することにより集光レンズ４０の集光能力が低くなるため、光源ユニット４の外部には強い照明光が照射されることはなく、操作者は目を傷めることがない。
【００４３】
本発明の携帯型内視鏡装置２では、内視鏡本体３の気密性だけでなく、光源ユニット４の気密性をも検査することができる。光源ユニット４を内視鏡本体３に装着した上で、内視鏡本体３の接続部１４（図１参照）に通気コネクタを接続し、この通気コネクタを介して内視鏡本体３の内部空間２６及び光源ユニット４の内部空間３２に圧縮エアを送り込み、内視鏡本体３と光源ユニット４との両方の気密性を検査することができる。内部空間３２に送り込まれた圧縮エアは、第１通気路２７，気密空間４３，及び第２通気路３７を介して、光源ユニット４の内部空間２６へも送られる。光源ユニット４に通気コネクタを接続するための接続部を設ける必要がなくなるため、製造コストを抑えることができる。
【００４４】
なお、光源ユニットと内視鏡本体とを連通する連通手段は、上記の構成に限られず、例えば、光源ユニットの装着に伴ってオンになるスイッチと、このスイッチからのオン信号に基づいて光源ユニットと内視鏡本体とを自動的に連通させる連通機構とから構成してもよい。
【００４５】
上記実施形態では、接眼部を有する携帯型内視鏡装置を用いて説明を行ったが、固体撮像素子を用いて取得した画像データを無線通信によって外部の記録部に送信する形態の携帯型内視鏡装置などにも、本発明を適用することができる。
【図面の簡単な説明】
【００４６】
【図１】携帯型内視鏡装置の外観図である。
【図２】ライトガイド口金の断面図である。
【図３】光源ユニットの断面図である。
【図４】ライトガイド口金に装着した光源ユニットの要部断面図である。
【符号の説明】
【００４７】
２  携帯型内視鏡装置
３  内視鏡本体
４  光源ユニット
９  ライトガイド口金
２０  保持筒
２１  第１開閉筒
２６  内部空間
２７  第１通気路
３２  内部空間
３５  筒部
３７  第２通気路
３８  第２開閉筒
４３  気密空間
【図１】
2008012099.tif 000003
【図２】
2008012099.tif 000004
【図３】
2008012099.tif 000005
【図４】
2008012099.tif 000006